(57)【要約】【課題】オープンショーケース用パネルの設置自由度及び冷気循環効率を高め種々のオープンショーケースにオープンショーケース用パネルを低コストで取り付ける。【解決手段】パネル取付具は、少なくとも前面が開口し、冷気を吸い込むための細長吸込孔を該開口の下端縁部に有するオープンショーケースに、該開口の下端縁部を覆うオープンショーケース用パネルを取り付けるためのパネル取付具であって、開口の下端縁部に取り付けられる基台部と、オープンショーケース用パネルを保持可能に構成されたパネル支持部と、基台部を開口の下端縁部に対して着脱可能に取り付ける締結部材とを備え、基台部は、細長吸込孔に向けて貫通形成された貫通孔を有し、締結部材は、基台部の貫通孔に挿通されるボルトと、細長吸込孔に挿抜自在な短冊状に形成されると共に、ボルトと螺合されて開口の下端縁部に基台部を締結させるナットとを備える。【選択図】図３
2019162228.tif 000002
【特許請求の範囲】
【請求項１】
少なくとも前面が開口し、冷気を吸い込むための細長吸込孔を該開口の下端縁部に有するオープンショーケースに、該開口の下端縁部近傍を覆うオープンショーケース用パネルを取り付けるためのパネル取付具であって、
前記開口の前記下端縁部に取り付けられる基台部と、
前記オープンショーケース用パネルを保持可能に構成されたパネル支持部と、
前記基台部を前記開口の前記下端縁部に対して着脱可能に取り付ける締結部材と
を備え、
前記基台部は、前記細長吸込孔に向けて貫通形成された貫通孔を有し、
前記締結部材は、
前記基台部の前記貫通孔に挿通されるボルトと、
前記細長吸込孔に挿抜自在な短冊状に形成されると共に、前記ボルトと螺合されて前記開口の前記下端縁部に前記基台部を締結させるナットと
を備えることを特徴とするパネル取付具。
【請求項２】
前記ナットは、長手方向の一端部に前記基台部及び前記細長吸込孔の孔枠部の少なくとも一つの縁部に係合可能に構成された共廻り防止用の係止片を有する
ことを特徴とする請求項１に記載のパネル取付具。
【請求項３】
前記基台部の前記オープンショーケースの前方側の端縁部から上方に向けて延出する起立部と、
前記起立部の上端部側から前記前方側に向けて延出する延長部と
を更に備え、
前記パネル支持部は、前記延長部に設けられている
ことを特徴とする請求項１又は２に記載のパネル取付具。
【請求項４】
前記パネル支持部は、
前記延長部の前記前方側の端縁部から上方に向けて延出する第１挟持片と、
前記第１挟持片の下方において前記延長部に接合された板部と、
前記板部の前記前方側の端縁部から上方に向けて延出する第２挟持片と
を備え、
前記第１及び第２挟持片によって前記オープンショーケース用パネルを挟持可能に構成されている
ことを特徴とする請求項３に記載のパネル取付具。
【請求項５】
前記第１挟持片の上端部には、前記オープンショーケースの後方側に向けて断面Ｕ字状となるように折り曲げられたカバー引掛け部が形成されている
ことを特徴とする請求項４に記載のパネル取付具。
【請求項６】
前記パネル支持部は、前記第１及び第２挟持片の間の間隔が、前記板部側よりも先端開口部側の方が狭くなるよう形成されている
ことを特徴とする請求項４又は５に記載のパネル取付具。
【発明の詳細な説明】
【技術分野】
【０００１】
本発明は、オープンショーケースの開口の下端縁部近傍に設置されるオープンショーケース用パネルのパネル取付具に関する。
【背景技術】
【０００２】
スーパーマーケット等で使用される前面開放型の冷気循環式のオープンショーケースの中には、エアカーテンの一部が外ケースの外部に漏れ出して吸込口パネルからオーバーフローしてしまうことを防止するものが知られている（例えば、下記特許文献１及び２参照）。
【先行技術文献】
【特許文献】
【０００３】
【特許文献１】特開２０００−１１６４７１号公報
【特許文献２】特開２００４−２０９０５１号公報
【発明の概要】
【発明が解決しようとする課題】
【０００４】
しかしながら、上記特許文献１及び２に記載されたオープンショーケースでは、外ケースと吸込口パネルとの境界近傍に、商品表示具取付レールや支持部材を用いて、或いは外ケースと吸込口パネルとで挟むように、透明板や板状フェンス等により構成されるオープンショーケース用パネルを配置固定する構造である。
【０００５】
このため、元々オープンショーケース用パネルが設置されていないオープンショーケースや、形状や寸法が異なる外ケースや吸込口パネルが用いられた各種のオープンショーケースに対しては、専用設計の商品表示具取付レールや支持部材が必要となったり、それぞれの外ケースと吸込口パネルとで挟持可能な一品物のオープンショーケース用パネルが必要となったりするので、オープンショーケース用パネルの設置コストを抑えつつ、冷気のオーバーフローを効率よく防止して冷気循環効率を高めるには限界があった。
【０００６】
本発明は、上記事情に鑑みてなされたものであり、オープンショーケース用パネルの設置自由度及び冷気循環効率を高め種々のオープンショーケースにオープンショーケース用パネルを低コストで取り付けることができるパネル取付具を提供することを目的とする。
【課題を解決するための手段】
【０００７】
本発明に係るパネル取付具は、少なくとも前面が開口し、冷気を吸い込むための細長吸込孔を該開口の下端縁部に有するオープンショーケースに、該開口の下端縁部近傍を覆うオープンショーケース用パネルを取り付けるためのパネル取付具であって、前記開口の前記下端縁部に取り付けられる基台部と、前記オープンショーケース用パネルを保持可能に構成されたパネル支持部と、前記基台部を前記開口の前記下端縁部に対して着脱可能に取り付ける締結部材とを備え、前記基台部は、前記細長吸込孔に向けて貫通形成された貫通孔を有し、前記締結部材は、前記基台部の前記貫通孔に挿通されるボルトと、前記細長吸込孔に挿抜自在な短冊状に形成されると共に、前記ボルトと螺合されて前記開口の前記下端縁部に前記基台部を締結させるナットとを備えることを特徴とする。
【０００８】
本発明の一実施形態において、前記ナットは、長手方向の一端部に前記基台部及び前記細長吸込孔の孔枠部の少なくとも一つの縁部に係合可能に構成された共廻り防止用の係止片を有する。
【０００９】
本発明の他の実施形態において、前記基台部の前記オープンショーケースの前方側の端縁部から上方に向けて延出する起立部と、前記起立部の上端部側から前記前方側に向けて延出する延長部とを更に備え、前記パネル支持部は、前記延長部に設けられている。
【００１０】
本発明の更に他の実施形態において、前記パネル支持部は、前記延長部の前記前方側の端縁部から上方に向けて延出する第１挟持片と、前記第１挟持片の下方において前記延長部に接合された板部と、前記板部の前記前方側の端縁部から上方に向けて延出する第２挟持片とを備え、前記第１及び第２挟持片によって前記オープンショーケース用パネルを挟持可能に構成されている。
【００１１】
本発明の更に他の実施形態において、前記第１挟持片の上端部には、前記オープンショーケースの後方側に向けて断面Ｕ字状となるように折り曲げられたカバー引掛け部が形成されている。
【００１２】
本発明の更に他の実施形態において、前記パネル支持部は、前記第１及び第２の挟持片の間の間隔が、前記板部側よりも先端開口部側の方が狭くなるよう形成されている。
【発明の効果】
【００１３】
本発明によれば、オープンショーケース用パネルの設置自由度及び冷気循環効率を高め種々のオープンショーケースにオープンショーケース用パネルを低コストで取り付けることができるパネル取付具を提供することができる。
【図面の簡単な説明】
【００１４】
【図１】本発明の一実施形態に係るパネル取付具を用いてオープンショーケース用パネルが取り付けられたオープンショーケースの全体構成を一部省略して概略的に示す斜視図である。
【図２】同オープンショーケースを一部省略して概略的に示す側方模式図である。
【図３】図２のＡ矢視部を一部仮想線で示す部分拡大断面図である。
【図４】図３のＢ−Ｂ’線を一部省略して示す断面図である。
【図５】同パネル取付具の吸込口パネルへの取付前の状態を概略的に示す斜視図である。
【図６】本発明の他の実施形態に係るパネル取付具を示す斜視図である。
【図７】同パネル取付具の寸法調整態様を示す縦断面図である。
【図８】同パネル取付具の変形例を示す斜視図である。
【図９】同パネル取付具に取り付けられるオープンショーケース用パネルに取付可能な商品表示具取付具を説明するための図であり、（ａ）は取付状態を概略的に示す斜視図、（ｂ）は断面図である。
【発明を実施するための形態】
【００１５】
以下、添付の図面を参照して、本発明の実施形態に係るパネル取付具を詳細に説明する。ただし、以下の実施形態は、各請求項に係る発明を限定するものではなく、また、実施形態の中で説明されている特徴の組み合わせの全てが発明の解決手段に必須であるとは限らない。
【００１６】
なお、図１〜図５において、同一又は相当する構成要素には、同一の符号を付して重複した説明を省略する。また、図１〜図５においては、各構成要素の縮尺や寸法が誇張されて示されている場合や、一部の構成要素が省略されている場合がある。
【００１７】
まず、本実施形態に係るパネル取付具を用いてオープンショーケース用パネルが取り付けられたオープンショーケースの全体構成について、図１及び図２を用いて説明する。なお、オープンショーケースの基本的な構造については既知であるので、概略のみを説明する。
【００１８】
図１及び図２に示すように、冷気循環式のオープンショーケース１は、ショーケース本体２が、例えば、薄厚金属板によって箱状に形成された基台２ａ上に一体的に敷設されて構成されている。ショーケース本体２は、正面視及び平面視で略矩形状の箱形に形成されており、外ケース３及び内ケース４を備えている。
【００１９】
外ケース３は、例えば、それぞれ断熱板からなる天井板３ａ、底面板（図示せず）、背面板３ｃ、及び一部に断熱ガラス板を含む断熱板で形成される左右の両側面板３ｄを備えて構成されている。内ケース４は、例えば、それぞれ断熱板からなる天井壁４ａ、底面壁４ｂ、及び背面壁４ｃを備えて構成されている。
【００２０】
ショーケース本体２は、基台２ａの内部に図示しない機械室を備える。この機械室内には、冷気循環を構成する圧縮機、凝縮器、各種弁、及び配管類などが収められている。また、ショーケース本体２は、内ケース４の底面壁４ｂの上部に形成された陳列室５を、その内部に備えている。
【００２１】
陳列室５には、商品を陳列するための陳列棚５ａがショーケース本体２の上下方向に多段に設けられている。また、陳列室５は、天井壁４ａ、底面壁４ｂ、背面壁４ｃ、及び左右の両側面板３ｄによって、前面のみが開放された開口部６を除く各面が閉塞されて構成されている。
【００２２】
天井板３ａの開口部６側の下面、すなわち陳列室５の天井壁４ａの前端部側には、エアカーテンの吹出口７が設けられている。エアカーテンは、ショーケース本体２の外部からの開口部６を介した陳列室５への空気の侵入を防ぐと共に、陳列室５の内部冷却を行う冷風（冷気）の幕（カーテン）である。なお、冷風は、背面壁４ｃに設けられた冷却用吹出口（図示せず）からも陳列室５内に吹き出される。
【００２３】
また、陳列室５の底面壁４ｂの前端部側、すなわち開口部６の下端縁部近傍には、上記冷却用吹出口から吹き出される冷風と、吹出口７から吹き出される冷風とを吸い込むための吸込口８が設けられている。そして、この吸込口８の陳列室５側には、両側面板３ｄを繋ぐ左右方向に沿って、吸込口８全体を覆う吸込口パネル３０が設置されている。この吸込口パネル３０には、後述するパネル取付具１０を介して、オープンショーケース用パネル５０と商品表示具取付具であるポップホルダ２０とが取り付けられている。
【００２４】
吸込口８は、陳列室５の底面壁４ｂの下方に設けられる図示しない熱交換室と、前面の開口部６とを連通している。熱交換室には、冷却機や送風機が配置され、冷却機は、冷媒管を介して基台２ａ内の機械室に配置された各部に連結されている。これにより、冷気循環が構成される。
【００２５】
ショーケース本体２において、エアカーテンの吹出口７と吸込口８とを繋ぐ直線上には陳列棚５ａ等の障害物がないため、吹出口７から吹き出された冷風は、下方に配置された吸込口パネル３０を介して円滑に吸込口８から外ケース３と内ケース４との間に吸い込まれる。
【００２６】
また、吸込口パネル３０及び外ケース３の前端上辺部３ｅを乗り越えて開口部６からショーケース本体２の外部に漏れ出そうとする冷風は、オープンショーケース用パネル５０の背面壁に当たって陳列室５側に戻され、効果的に吸込口８から吸い込まれる。吸い込まれた冷風は、図２に矢印で示すように、外ケース３と内ケース４との間に形成された冷気循環路９を通って循環し、エアカーテンを安定して形成する。
【００２７】
なお、天井壁４ａの所定位置には、陳列室５内の照明等を行う蛍光灯やＬＥＤからなる図示しない照明部が備えられている。また、陳列室５の天井壁４ａの吹出口７よりも前方側には、透明ビニールシート等からなるナイトカバー４１を収納するナイトカバー収納部４０が、上記左右方向に沿って設けられている。
【００２８】
このようにして構成されたオープンショーケース１においては、熱交換室の送風機が作動することで、図２中矢印で示すように吸込口８から熱交換室内に空気が吸い込まれる。吸い込まれた空気は、冷却機に吹き付けられて冷風が生成され、冷気循環路９内に導かれる。
【００２９】
冷気循環路９内に導かれた冷風は、一部が陳列室５の背面壁４ｃの冷却用吹出口から陳列室５内に吹き出され、各陳列棚５ａ上に陳列した商品を冷却する。冷気循環路９内の残りの冷風は、天井板３ａと天井壁４ａとの間を通って、吹出口７から下方に向かって吹き出される。
【００３０】
吹出口７から吹き出された冷風は、陳列室５の前面の開口部６に沿って流れてエアカーテンを形成し、吸込口パネル３０を介して吸込口８に導かれ、熱交換室に再度案内される。このような経路によって、オープンショーケース１のショーケース本体２における冷気循環が構成される。
【００３１】
図３〜図５に示すように、パネル取付具１０は、基台部１１と、パネル支持部１４と、締結部材１８とを備えて構成されている。基台部１１は、板状に形成され、開口部６の下端縁部に取り付けられる。基台部１１は、具体的には、複数の細長吸込孔３１が形成された吸込口パネル３０の上端部３０ａに取り付けられる。また、基台部１１は、細長吸込孔３１に向けて貫通形成された貫通孔１１ａを有する。
【００３２】
パネル支持部１４は、オープンショーケース用パネル５０を保持可能に構成されている。締結部材１８は、基台部１１を開口部６の下端縁部に対して着脱可能に取り付ける。締結部材１８は、基台部１１の貫通孔１１ａに挿通されるボルト１８ａと、細長吸込孔３１に挿抜自在な短冊状に形成されると共に、ボルト１８ａと螺合されて開口部６の下端縁部に基台部１１を締結させるナット１８ｂとを備える。
【００３３】
また、本実施形態のパネル取付具１０は、起立部１２と、延長部１３とを備えている。起立部１２は、基台部１１の外ケース３側の端縁部から上方に向けて延出している。延長部１３は、起立部１２の上端部側からショーケース本体２の前方側（以下、単に「前方側」と記載する。）に向けて延びるように形成されている。延長部１３は、本実施形態においては起立部１２の上端部から連続形成されている。なお、パネル支持部１４は、この延長部１３に設けられており、例えば、第１挟持片１５と、板部１６と、第２挟持片１７とを有するように構成されている。
【００３４】
パネル支持部１４の第１挟持片１５は、延長部１３の前方側の端縁部から上方に向けて、連続して立ち上がるように延出している。板部１６は、第１挟持片１５の下方において延長部１３に接合されている。板部１６は、具体的には、延長部１３の下面の一部と接するようにその上面の一部が接合されている。第２挟持片１７は、接合された板部１６の前方側の端縁部から上方に向けて、連続して立ち上がるように延出している。また、パネル支持部１４は、第１及び第２挟持片１５，１７の間の間隔が、板部１６側よりも先端開口部側の方が狭くなるように形成されている。
【００３５】
このパネル支持部１４に支持されるオープンショーケース用パネル５０は、上端部にカバーキャップ５０ａが嵌合された、ガラスやポリカーボネート、アクリル板等の透明の板状部材からなる。オープンショーケース用パネル５０は、下端部が板部１６の上面に突き当たるまで第１及び第２挟持片１５，１７間に挿入されることで、背面壁が第１挟持片１５と当接すると共に、前面壁が第２挟持片１７と当接する状態で挟持され、パネル支持部１４に支持される。
【００３６】
なお、パネル支持部１４の第１挟持片１５の上端部には、ナイトカバー４１を引っ掛けるためのカバー引掛け部１９が形成されている。カバー引掛け部１９は、ショーケース本体２の後方側（以下、単に「後方側」と記載する。）に向けて断面略Ｕ字状となるように、第１挟持片１５の一部が折り曲げられて形成される。このカバー引掛け部１９にナイトカバー４１の引掛け孔４１ａを挿通して引っ掛けることで、ナイトカバー４１で開口部６を閉塞することができる。
【００３７】
なお、締結部材１８のボルト１８ａが挿通される貫通孔１１ａは、基台部１１において、吸込口パネル３０に向けて貫通する細長形状で形成されている。この貫通孔１１ａは、単なる丸孔であってもよい。また、締結部材１８のナット１８ｂは、長手方向の一端部に立設された係止片１８ｃを有する。係止片１８ｃは、締結部材１８によるパネル取付具１０の締結時に、基台部１１及び細長吸込孔３１の孔枠部３１ａの少なくとも一つの縁部に係合可能に構成されており、パネル取付具１０の取付時の共廻りを防止する。このように構成された締結部材１８は、パネル取付具１０に少なくとも一つ備えられていればよい。ただし、共廻りを防止しつつ吸込口パネル３０上の正確な取付位置に取り付けるためには、締結部材１８は、パネル取付具１０に複数備えられることが好適である。
【００３８】
本実施形態のパネル取付具１０においては、基台部１１、起立部１２、延長部１３及びパネル支持部１４の第１挟持片１５は、これらが連続するように、金属等の板状部材（以下、単に「板状部材」と記載する。）を所定の寸法で断面略Ｗ字状に折り曲げ、孔開け加工し、更に第１挟持片１５の先端部分を上記のように断面略Ｕ字状に折り曲げ加工して形成されている。また、板部１６及び第２挟持片１７は、これらが連続するように、板状部材を所定の寸法で断面略Ｌ字状に折り曲げ加工した上で、溶接等により延長部１３に接合して形成されている。
【００３９】
このように構成されたパネル取付具１０を吸込口パネル３０に取り付けるには、まず、図５に示すように、予めパネル取付具１０の基台部１１に締結部材１８を仮留めし、ナット１８ｂの向きを細長吸込孔３１の形状に合わせて揃えておく。そして、パネル取付具１０を吸込口パネル３０の上端部３０ａに近付くように引き下げて、ナット１８ｂを細長吸込孔３１になるべく干渉しないように挿通し、図４に示すように、係止片１８ｃが細長吸込孔３１内に来るように（現われるように）ボルト１８ａを回転させてナット１８ｂを回転させる。その後、パネル取付具１０を上端部３０ａから離れるように引き上げて、係止片１８ｃが細長吸込孔３１内に現われた状態のままでボルト１８ａをねじ込んでゆく。
【００４０】
このようにすれば、係止片１８ｃを基台部１１の側方の縁部（側縁部）や細長吸込孔３１の孔枠部３１ａに係合させた状態で、吸込口パネル３０の上端部３０ａに基台部１１を締結することができるので、吸込口パネル３０の所望の位置にパネル取付具１０を正確かつ簡単に取り付けることができる。
【００４１】
このように、本実施形態のパネル取付具１０によれば、開口部６の下端縁部に細長吸込孔３１が形成されていれば、いかなる構成のショーケース本体２や、形状の異なる細長吸込孔３１等に対しても、オープンショーケース用パネル５０を容易に取り付けることが可能となる。そして、このパネル取付具１０を用いれば、たとえ予めオープンショーケース用パネル５０が配置されていないショーケース本体２に対しても、後付けでオープンショーケース用パネル５０を配置することが可能となる。
【００４２】
なお、パネル取付具１０は、延長部１３を備えているため、オープンショーケース用パネル５０の配置位置を、開口部６の下端縁部、具体的には吸込口パネル３０から十分に離れた位置とすることができる。このため、吸込口パネル３０の細長吸込孔３１をオープンショーケース用パネル５０で塞ぐことなく、ショーケース本体２の外部に漏れ出そうとする冷風を外ケース３の前端上辺部３ｅ上で効率よくブロックして吸込口８に導くことができる。具体的には、パネル取付具１０を用いてオープンショーケース用パネル５０を取り付けたオープンショーケース１の消費電力量を、約５％〜１０％程度抑えることができるため、省エネ化を進めることができる。
【００４３】
従って、オープンショーケース用パネル５０の設置自由度を高めることができると共に、冷気循環効率を高める（向上させる）ことができて、種々のオープンショーケース１にオープンショーケース用パネル５０を低コストで容易に取り付けることが可能となる。なお、この延長部１３をはじめ、基台部１１、起立部１２、パネル支持部１４や締結部材１８を含むパネル取付具１０の各部の製造寸法は、設置設計に合せて適宜変更することができる。
【００４４】
次に、本発明の他の実施形態に係るパネル取付具１０Ａについて説明する。なお、図６を含む以降の説明においては、先の実施形態と同一の構成要素に関しては同一の符号を付しているので、以下では重複する説明は省略する。
【００４５】
図６及び図７に示すように、本実施形態に係るパネル取付具１０Ａは、基台部１１、起立部１２、延長部１３、パネル支持部１４及び図示しない締結部材１８を備えている。そして、起立部１２及び延長部１３は、それぞれ一部分（第１部分）１２ａ，１３ａと他の部分（第２部分）１２ｂ，１３ｂとを備えて構成されている。
【００４６】
また、起立部１２及び延長部１３の第１部分１２ａ，１３ａには、それぞれ細長形状で貫通形成された寸法調整孔１２ｃ，１３ｃが設けられている。これら寸法調整孔１２ｃ，１３ｃには、第１部分１２ａ，１３ａと第２部分１２ｂ，１３ｂの共廻りを防ぐため、それぞれ複数のねじ５１，５２が挿通される。一方、起立部１２及び延長部１３の第２部分１２ｂ，１３ｂには、それぞれねじ５１，５２が螺合される複数のねじ穴５３，５４が形成されている。
【００４７】
このように構成されたパネル取付具１０Ａにおいては、基台部１１及び起立部１２の第１部分１２ａは、これらが連続するように、板状部材を所定の寸法で断面略Ｌ字状に折り曲げ、孔開け加工して形成されている。また、延長部１３の第１部分１３ａ及び第１挟持片１５は、これらが連続するように、板状部材を所定の寸法で断面略Ｌ字状に折り曲げ、孔開け加工し、第１挟持片１５の先端部分を断面略Ｕ字状に折り曲げ加工して形成されている。
【００４８】
また、板部１６及び第２挟持片１７は、これらが連続するように、板状部材を所定の寸法で断面略Ｌ字状に折り曲げ加工した上で、溶接等により延長部１３の第１部分１３ａの下面の一部に接合して形成されている。そして、起立部１２及び延長部１３の第２部分１２ｂ，１３ｂは、これらが連続するように、板状部材を所定の寸法で断面略くの字状に折り曲げ加工した上で、孔開け加工して形成されている。
【００４９】
すなわち、起立部１２は、基台部１１に対して延長部１３をショーケース本体２の上下方向（図７中矢印で示すＹ方向）にスライド移動可能となるように、第１部分１２ａと第２部分１２ｂとをＹ方向にスライド自在に重合配置して構成されている。また、延長部１３は、起立部１２に対してパネル支持部１４をショーケース本体２の前後方向（図７中矢印で示すＺ方向）にスライド移動可能となるように、第１部分１３ａと第２部分１３ｂとをＺ方向にスライド自在に重合配置して構成されている。そして、起立部１２及び延長部１３は、所望の寸法（長さ）に調整された後に、ねじ５１，５２によりその寸法が固定される。
【００５０】
従って、本実施形態のパネル取付具１０Ａは、起立部１２及び延長部１３が、それぞれショーケース本体２の上下方向及び前後方向に寸法調整できるようにスライド移動可能に構成されている点が、先の実施形態のパネル取付具１０では起立部１２及び延長部１３が所定の寸法で固定された状態で形成されている点と相違している。このように構成されたパネル取付具１０Ａにおいても、上述した先の実施形態の作用効果と同様の作用効果を奏することができると共に、オープンショーケース用パネル５０のショーケース本体２の前後方向及び上下方向における配置自由度を更に向上させ、汎用性をより高めることが可能となる。
【００５１】
なお、パネル取付具１０Ａの変形例としては、次のようなものが挙げられる。図８に示すように、変形例のパネル取付具１０Ｂは、基台部１１、起立部１２、延長部１３、パネル支持部１４及び図示しない締結部材１８を備え、起立部１２及び延長部１３が、それぞれ第１部分１２ａ，１３ａと第２部分１２ｂ，１３ｂとを備える構成は、上述したパネル取付具１０Ａと同様である。
【００５２】
ただし、起立部１２と延長部１３の共廻りを防ぐ構造が異なっている。すなわち、起立部１２及び延長部１３の第１部分１２ａ，１３ａは、幅方向の両端縁部間の距離がパネル取付具１０Ａのものと比べて短くなるように、基台部１１及び第１挟持片１５の境界部分からそれぞれ舌片状となるように形成されている。また、起立部１２及び延長部１３の第２部分１２ｂ，１３ｂは、幅方向の側方の縁部（側縁部）が、それぞれ第１部分１２ａ，１３ａに向かって僅かに立ち上がった突条１２ｄ，１３ｄとなるようにエッジ加工処理がなされている。
【００５３】
そして、第１部分１２ａ，１３ａは、それぞれ第２部分１２ｂ，１３ｂの両突条１２ｄ，１３ｄ間に収まるようにスライド自在に重合配置され、起立部１２及び延長部１３は、ねじ５１，５２をねじ穴５３，５４に螺合することによって、寸法が固定される。なお、このパネル取付具１０Ｂにおいては、ねじ５１，５２及びねじ穴５３，５４を複数設ける必要が無いので、起立部１２及び延長部１３の加工工数は増えるが、パネル取付具１０Ａと比べて部品点数を少なくすることができる。
【００５４】
なお、上述したパネル取付具１０Ａ，１０Ｂは、起立部１２及び延長部１３がそれぞれ寸法調整可能な構造を備えているが、いずれか一方のみがその機能を備えるように構成してもよい。すなわち、例えば延長部１３のみが寸法調整可能な構成の場合、延長部１３は、起立部１２に対してパネル支持部１４をＺ方向にスライド移動可能に第１及び第２部分１３ａ，１３ｂを備えて構成される。
【００５５】
この場合、基台部１１、起立部１２及び延長部１３の第１部分１３ａは、例えばこれらが連続するように、板状部材を所定の寸法で断面略クランク状に折り曲げ、孔開け加工して形成される。また、延長部１３の第２部分１３ｂ及び第１挟持片１５は、例えばこれらが連続するように、板状部材を所定の寸法で断面略Ｌ字状に折り曲げ、孔開け加工し、第１挟持片１５の先端部分を断面略Ｕ字状に折り曲げ加工して形成される。また、板部１６及び第２挟持片１７は、例えばこれらが連続するように、板状部材を所定の寸法で折り曲げ加工して形成される。そして、延長部１３は、起立部１２に対してパネル支持部１４をＺ方向にスライド移動可能となるように、第１部分１３ａと第２部分１３ｂとをＺ方向にスライド自在に重合配置して構成される。
【００５６】
一方、例えば起立部１２のみが寸法調整可能な構成の場合、起立部１２は、基台部１１に対して延長部１３をＹ方向にスライド移動可能に第１及び第２部分１２ａ，１２ｂを備えて構成される。この場合、基台部１１及び起立部１２の第１部分１２ａは、例えばこれらが連続するように、板状部材を所定の寸法で断面略Ｌ字状に折り曲げ、孔開け加工して形成される。
【００５７】
また、起立部１２の第２部分１２ｂ、延長部１３及び第１挟持片１５は、例えばこれらが連続するように、板状部材を所定の寸法で断面略クランク状に折り曲げ、孔開け加工して形成される。また、板部１６及び第２挟持片１７は、例えばこれらが連続するように、板状部材を所定の寸法で断面略Ｌ字状に折り曲げ加工して形成される。そして、起立部１２は、基台部１１に対して延長部１３をＹ方向にスライド移動可能となるように、第１部分１２ａと第２部分１２ｂとをＹ方向にスライド自在に重合配置して構成される。
【００５８】
次に、パネル取付具１０，１０Ａ，１０Ｂによりショーケース本体２に取り付けられるオープンショーケース用パネル５０に、更に取り付けられるポップホルダ２０について説明する。図９に示すように、ポップホルダ２０は、パネル被取付部２１と、前方延出部２２と、傾斜支持片部２３と、ポップ被取付部２４とを備えて構成されている。
【００５９】
パネル被取付部２１、前方延出部２２及び傾斜支持片部２３は、板状部材を連続する断面略Ｕ字及びクランク状に折り曲げ加工して形成されている。ポップ被取付部２４は、金属棒等の線条材を、傾斜支持片部２３の長手方向に所定の間隔を保った状態で、左右方向（オープンショーケース用パネル５０の長手方向）に周回するように曲げ加工して形成されている。なお、ポップ被取付部２４の線条材の繋ぎ部分は、傾斜支持片部２３上に来るように形成される。
【００６０】
パネル被取付部２１は、オープンショーケース用パネル５０の下端部に、オープンショーケース用パネル５０をその厚さ方向に挟み込むようにして取り付けられる。このパネル被取付部２１は、オープンショーケース用パネル５０の下端部を回り込んでオープンショーケース用パネル５０の裏面側に折り返された先端部が、オープンショーケース用パネル５０の表面側に配置される主体部に対して傾斜するように折り返されている。このため、パネル被取付部２１には、オープンショーケース用パネル５０を挟み込んで十分に落下しないだけの弾性力が備えられる。
【００６１】
前方延出部２２は、パネル被取付部２１の主体部から所定の寸法で前方へ延びて、このパネル被取付部２１と傾斜支持片部２３とを繋いでいる。傾斜支持片部２３は、ポップ被取付部２４に取り付けられる商品表示具（ポップ）を傾斜させて視認し易くするために、所定の角度で傾斜している。ポップ被取付部２４には、クリップ機能等を有するポップが取り付けられる。このように、ポップホルダ２０は、オープンショーケース用パネル５０に直接取り付けられる構成であるため、別途設置スペースを確保することなく容易に設置することが可能となる。
【００６２】
以上、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると共に、特許請求の範囲に記載された発明とその均等の範囲に含まれる。
【００６３】
例えば、上記実施形態では、パネル取付具１０等を金属等の板状部材からなるものとしたが、樹脂成形部材等であってもよい。また、起立部１２や延長部１３を寸法調整可能にすることもできるとしたが、更にパネル支持部１４の第１挟持片１５と第２挟持片１７との間の間隔を、上述したような構造で調整可能となるように構成してもよい。また、パネル取付具１０等は、例えば吸込口パネル３０に対し、オープンショーケース用パネル５０を細長吸込孔３１をなるべく塞がないように取り付ける構造を実現できればよいので、上記形状や配置態様に限定されるものではない。
【符号の説明】
【００６４】
１          オープンショーケース
２          ショーケース本体
３          外ケース
４          内ケース
５          陳列室
６          開口部
７          吹出口
８          吸込口
９          冷気循環路
１０        パネル取付具
１１        基台部
１２        起立部
１３        延長部
１４        パネル支持部
１５        第１挟持片
１６        板部
１７        第２挟持片
１８        締結部材
１８ａ      ボルト
１８ｂ      延長部
１８ｃ      係止片
１９        カバー引掛け部
２０        商品表示具取付具（ポップホルダ）
３０        吸込口パネル
３１        細長吸込孔
３１ａ      孔枠部
４０        ナイトカバー収納部
４１        ナイトカバー
４１ａ      引掛け孔
５０        オープンショーケース用パネル
【図１】
2019162228.tif 000003
【図２】
2019162228.tif 000004
【図３】
2019162228.tif 000005
【図４】
2019162228.tif 000006
【図５】
2019162228.tif 000007
【図６】
2019162228.tif 000008
【図７】
2019162228.tif 000009
【図８】
2019162228.tif 000010
【図９】
2019162228.tif 000011